(57)【要約】【課題】本発明は、トイレの汚物排水の際、粉砕機等を使用せず、小口径で排水するシステムを提供するもので、合流部への水頭分だけ、管体内の排水にサイフォン力を生じさせ、これによって従来の管体よりも比較的細い管径の配管であってもトイレ汚物を排水可能としたものである。【解決手段】トイレ排出口と、当該トイレ排水口よりもスラブ面より下方に配置した排水立て管への合流部との間を、一本の小口径の管体の一端をトイレ排水口に接続すると共に、横方向に無勾配で、かつ中間部で他の横枝管と合流なしに水平に伸ばし、他端側を垂下させて前記合流部に接続したトイレの汚物排水システム。１‥トイレ容器、２‥排水口、３‥排水立て管、４‥合流部、５‥ポリブテン管、６‥床スラブ、Ｈｓ‥水頭。【選択図】図２
2007016565.tif 000002
【特許請求の範囲】
【請求項１】
トイレの汚物排水システムであって、トイレ排出口と、当該トイレ排水口よりもスラブ面より下方に配置した排水立て管への合流部との間を、一本の小口径の管体の一端をトイレ排水口に接続すると共に、横方向に無勾配で、かつ中間部で他の横枝管と合流なしに水平に伸ばし、他端側を垂下させて前記合流部に接続したことを特徴とするトイレの汚物排水システム。
【請求項２】
小口径の管体が合成樹脂製パイプである請求項１記載のトイレの汚物排水システム。
【請求項３】
管体の径が３０〜５０Ａである請求項１又は２記載のトイレの汚物排水システム。
【発明の詳細な説明】
【技術分野】
【０００１】
本発明はサイフォン力を利用したトイレ汚物の排水システムに関するものである。
【背景技術】
【０００２】
従来より、トイレの汚物の排水には１００Ａ程度の排水管を用い、これに勾配を付けて配管を行っていたが、汚物の搬送動力としては、配管に多少の勾配を付けるだけでは搬送できず、実質的には水に溶けたトイレットペ−パ−の粘性を利用して上流より汚物を押すことによって搬送しているのが現状である。
【０００３】
更に、トイレから排水される水の量は貯留タンクの容量に規定されて一定容量であるため、配管が１００Ａと太い場合には、管内の水深は浅く、かつ、その流速は遅くなる。このように、水による汚物の搬送能力は比較的低く、汚物を十分に搬送できずに横枝管内に汚物が残ることが多かった。このように、例えば、１／１００の勾配で配管を行うことは汚物のない清水に関しては搬送動力が大きいとはいえ、トイレの汚物の搬送のためには配管に付けた勾配は実質的に意味をなさなかった。このように、トイレの汚物を小口径で排水する際には、マセレ−タ−等を設置して汚物を粉砕し、圧送するしかなかったのが現状である。
【発明の開示】
【発明が解決しようとする課題】
【０００４】
本発明は、上記のような従来の技術に鑑みてなされたものであり、トイレの汚物排水の際、粉砕機等を使用せず、小口径で排水するシステムを提供するものである。
【課題を解決するための手段】
【０００５】
本発明の要旨は、トイレの汚物排水システムであって、トイレ排出口と、当該トイレ排水口よりもスラブ面より下方に配置した排水立て管への合流部との間を、一本の小口径の好ましくは、合成樹脂製パイプにて代表される径が３０〜５０Ａの管体の一端をトイレ排水口に接続すると共に、横方向に無勾配で、かつ中間部で他の横枝管と合流なしに水平に伸ばし、他端側を垂下させて前記合流部に接続した排水システムである。
【発明の効果】
【０００６】
本発明は合流部への水頭分だけ、管体内の排水にサイフォン力が生じるものであり、この力は合流部側に管体内の排水を引っ張る力がもたらされ、これによって従来の管体よりも比較的細い管径の配管であってもトイレ汚物を排水可能としたものである。
【発明を実施するための最良の形態】
【０００７】
即ち、本発明のトイレ汚物の運搬力はサイフォン力により排水するもので、その管径は汚物が詰まらない最低限の管径である３０〜５０Ａ程度の排水管、具体的には３２Ａのパイプをもって敷設することとなる。そのため、汚物の搬送動力はサイフォン力による下流から引く力と、トイレットぺ−パ−によって上流から押す力との合力であり、搬送力を増すこととなる。又、同じ流量を小口径の管体内に流すことにより、管内の流速も上り、搬送能力は更に上がることとなる。
【０００８】
サイフォン力を付与するには合流部と間に適当な水頭Ｈｓがなくてはならず、好ましくは０．５〜３ｍの水頭であるのがよい。尚、トイレの場合、所定量の排水量が用意されているため、管径３０Ａの管体であっても、管内の排水の流れを満流流れにすることができる。
【０００９】
管体の好適例としては、比較的柔軟性のある管体、例えばポリブテン管や架橋ポリエチレン管等の合成樹脂製パイプが望ましく、接続等の施工性に便利であり、又、柱等の障害物があっても簡単に回避できるからである。尚、管体に他の管体との合流部があると、サイフォン力の発生ができなくなるのが通例であり、他の管体とは合流させないのが条件である。
【実施例】
【００１０】
以下、図面をもって本発明を更に説明する。図１は本発明の排水システムの概要を示す図であり、図２はその主要部の図である。符号１はトイレ容器、２は排水口、３は排水立て管、４は合流部、５はその両者に接続されたポリブテン管、６は床スラブである。ポリブテン管５は床スラブ６上に無勾配の状態で配設されたものであり、一端がトイレ１側の排水口２に、他端は床スラブ６より垂下して合流部４側に接続されるものである。この床スラブ６と合流部４との水頭Ｈｓによってサイフォン力を付与することとなる。この例では水頭Ｈｓは３ｍである。
【００１１】
図中、７、８はパイプ保持部材及びシ−ル部材（いずれも図示せず）を内蔵する継手であり、パイプ（ポリブテン管）５を継手７、８に差し込み、固定するものである。この例では、パイプ５の径は３２Ａである。
【００１２】
尚、従来の排水パイプは１／１００の勾配をもつ１００Ａ程度の硬質塩化ビニル管が使用され、かかる管内の排水流れは満流流れとなることはなく、トイレ１のある床スラブ６とほぼ同じ水平位置にて排水立て管に合流されるものである。
【００１３】
本発明におけるパイプ（３２Ａ）５内の排水は水頭Ｈｓによって下流よりサイフォン力が働き、かつ上流より溶け出したトイレットペ−パ−の押す力があいまって排水されるものであり、パイプ５内の排水は満流流れとなり、汚物は完全に流れ出た。一方、従来の排水システムにおけるパイプ（１００Ａ）内の排水は満流流れとはならなかった。そして、本発明における排水の流速は、従来の配管における流速の２〜３倍となり、汚物がパイプ内に残ることはなかった。一方、従来のシステムにおいては、汚物がパイプ内に残りがちである。汚物がパイプ内に残らないようにするにはトイレにマセレ−タ−等の汚物の粉砕・圧送設置が必要である。
【産業上の利用可能性】
【００１４】
本発明は以上の通りであり、比較的少ない水量で汚物が完全に排出できることとなったものであり、しかもその配管の勾配等を付けることを必要とせず、その作業性は簡便である。このため、サイフォン力によるトイレの汚物の排水は広く利用可能である。
【図面の簡単な説明】
【００１５】
【図１】図１は本発明の排水システムの概要を示す図である。
【図２】図２は本発明の排水システムの主要部を示す図である。
【符号の説明】
【００１６】
１‥トイレ容器、
２‥排水口、
３‥排水立て管、
４‥合流部、
５‥ポリブテン管、
６‥床スラブ、
７、８‥継手、
Ｈｓ‥水頭。
【図１】
2007016565.tif 000003
【図２】
2007016565.tif 000004